(57)【要約】【課題】  棚板等に載置された物品を容易に出し入れできると共に、簡便な構造の物品の転落防止具を提供すること。【解決手段】  本発明の転落防止具１０は、一方の面が載置面３２に接着され、他方の面にファイル２０が着脱可能に接着される板状の基材１２で構成されている。【選択図】図１
2010253217.tif 000002
【特許請求の範囲】
【請求項１】
一方の面が載置面に接着され、他方の面に物品が着脱可能に接着される板状の基材で構成されることを特徴とする物品の転落防止具。
【請求項２】
前記他方の面の所定の縁に前記基材を保護する保護部を備えることを特徴とする請求項１に記載の物品の転落防止具。
【請求項３】
前記保護部は、予め前記基材の他方の面に設けられていることを特徴とする請求項２に記載の物品の転落防止具。
【請求項４】
前記保護部は、前記基材の一方の面を前記載置面接着した後に前記基材の他方の面に設けられることを特徴とする請求項２に記載の物品の転落防止具。
【請求項５】
前記保護部は、前記所定の縁と前記載置面とを覆うように設けられることを特徴とする請求項４に記載の物品の転落防止具。
【請求項６】
前記保護部はＬ字形状を有することを特徴とする請求項２乃至請求項４に記載の物品の転落防止具。
【請求項７】
前記基材は、前記載置面の前記物品が出し入れされる側に設けられることを特徴とする請求項１乃至請求項６に記載の物品の転落防止具。
【発明の詳細な説明】
【技術分野】
【０００１】  本発明は、地震等により什器、収納棚や本棚が振動しても什器等に載置された物品の転落を防止する物品の転落防止具に関する。
【背景技術】
【０００２】  従来、地震や意図しない何らかの物品の衝突等における振動や揺れ及び傾きで棚板等に載置された物品の転落を防止する装置が種々提案されている。【０００３】  例えば、特許文献１には、両端がクランク状に曲げられ本の転落を十分支えうる強度をもったレールを書棚の棚ダボ差込み穴に渡し、レールを回転させると凸部が上下する耐震書籍転落防止具が開示されている。
【先行技術文献】
【特許文献】
【０００４】
【特許文献１】  特開２００６−１５８８０８号公報
【発明の概要】
【発明が解決しようとする課題】
【０００５】  しかしながら、このような従来の物品の転落防止具は、物品としての書籍を書棚から出し入れするごとにクランク状のレールを回転させなければならず、出し入れの利便性に難があった。【０００６】  また、このクランク状のレールを取り付けるために、予め書棚に棚ダボ差込み口を設けておかなければならず、汎用的ではなかった。
【課題を解決するための手段】
【０００７】  この発明の目的は、上述した事情に鑑みなされたもので、この発明の主たる目的は、棚板等に載置された物品を容易に出し入れできると共に、簡便な構造の物品の転落防止具を提供することである。【０００８】  上述した課題を解決し、目的を達成するため、この発明に係わる物品の転落防止具は、請求項１の記載によれば、一方の面が載置面に接着され、他方の面に物品が着脱可能に接着される板状の基材で構成されることを特徴とする。【０００９】  上述した課題を解決し、目的を達成するため、この発明に係わる物品の転落防止具は、請求項２の記載によれば、前記他方の面の所定の縁に前記基材を保護する保護部を備えることを特徴とする。【００１０】  上述した課題を解決し、目的を達成するため、この発明に係わる物品の転落防止具は、請求項３の記載によれば、前記保護部は、予め前記基材の他方の面に設けられていることを特徴とする。【００１１】  上述した課題を解決し、目的を達成するため、この発明に係わる物品の転落防止具は、請求項４の記載によれば、前記保護部は、前記基材の一方の面を前記載置面接着した後に前記基材の他方の面に設けられることを特徴とする。【００１２】  上述した課題を解決し、目的を達成するため、この発明に係わる物品の転落防止具は、請求項５の記載によれば、前記保護部は、前記所定の縁と前記載置面とを覆うように設けられることを特徴とする【００１３】  上述した課題を解決し、目的を達成するため、この発明に係わる物品の転落防止具は、請求項６の記載によれば、前記保護部はＬ字形状を有することを特徴とする。【００１４】  上述した課題を解決し、目的を達成するため、この発明に係わる物品の転落防止具は、請求項７の記載によれば、前記基材は、前記載置面の前記物品が出し入れされる側に設けられることを特徴とする。
【発明の効果】
【００１５】  この発明によれば、棚板等に載置された物品を容易に出し入れできると共に、簡便な構造の物品の転落防止具を提供することができる。
【図面の簡単な説明】
【００１６】
【図１】  第１の実施例の転落防止具を示す斜視図
【図２】  第２の実施例の転落防止具を示す側面図
【図３】  第３の実施例の転落防止具を示す側面図
【発明を実施するための形態】
【実施例】
【００１７】  以下に図面を用いて本発明の実施例を説明する。なお、この実施例において、本発明の物品の転落防止具は書棚に載置された物品としての書籍やファイル等の転落を防止するとしているが、これに限定されるものではない。具体的には、机や什器等のように、物品が載置される載置面を有する器具や家具等であれば本発明の物品の転落防止具が適用可能であり、また、物品は書籍やファイル等に限定されるものではない。【００１８】  ＜第１の実施例＞
最初に図１を用いて、本発明の第１の実施例の転落防止具１０の構成を説明する。図１は、第１の実施例の転落防止具を示す斜視図である。図１によると、地震等による振動に対して転落を防止したい物品としてのファイル２０は、バインダーとも呼ばれ、その内部に書類を綴じて整理・保管するための文具である。一般にファイル２０は、硬質の紙等の素材で形成される２枚の表紙２２と、２枚の表紙２２の各々の一辺を接続する、表紙２２と同じ素材で形成される背表紙２４と、２枚の表紙２２で挟まれる空間に設けられる書類を綴じるための図示しない綴じ部とから構成されている。【００１９】  このファイル２０が載置される載置面３２は、所謂書棚や什器の棚であり、一般にその表面は滑らかに加工されているので、ファイル２０の出し入れをスムーズに行うことができる。しかしながら、その表面の滑らかさのために、地震等の振動によりファイル２０が載置面３２を滑り出して転落してしまうことがあった。【００２０】  本発明の転落防止具１０は、一方の面が載置面３２に接着され、他方の面にファイル２０が着脱可能に接着される板状の基材１２で構成されている。この基材１２は、例えば粘着性を有するポリウレタンや、一方の面と他方の面に両面接着テープ等を貼り付けたポリエチレン等の合成樹脂や天然ゴム等である。なお、本願発明をより好適に適用するために、基材１２の素材は、ファイル２０を傷つけないことと、後に説明するように、ファイル２０の滑り出しをより確実に防止するために、軟質の素材を使用すると良い。【００２１】  このような基材１２を載置面３２のファイル２０を出し入れする側に貼り付けると、ファイル２０の背表紙２４の一端の辺の全体と２枚の表紙２２の一端の辺の一部が基材１２の他方の面に接着される。この結果、地震等による振動でファイル２０が載置面３２から滑り出すことがなくなり、載置面３２からの転落を防止することが可能となる。【００２２】  また、基材１２は、載置面３２のファイル２０を出し入れする側にのみ貼り付けられているので、ファイル２０の出し入れの際に邪魔になることはなく、載置面３２へスムーズに出し入れすることが可能である。【００２３】  この基材１２は、粘着性を有するポリウレタンや、他方の面に貼り付けられる両面接着テープに複数回の着脱が可能な接着素材を選択した合成樹脂等となっている。このような粘着性を有するポリウレタンや複数回の着脱が可能な接着素材は、その表面に垂直な方向の接着力は着脱可能な程度の強さしかなくても、その表面に対して平行な方向の接着力は接着された物品が容易には剥がされない（即ち、滑り出さない）強さを有している。このため、ファイル２０が載置面３２に載置されている状態で地震等による振動が発生しても、当該接着力でファイル２０が滑り出さないので転落の防止が可能となると共に、ファイル２０を出し入れする際にはファイル２０を基材１２の他方の面から容易に着脱することができるので出し入れが容易となっている。【００２４】  なお、粘着性を有するポリウレタンや複数回の着脱が可能な接着素材の表面に対して平行な方向の接着力は、ポリウレタンや接着素材が軟質であると、より強力に滑り出しを防止することが可能である。これは、基材１２が載置面３２のファイル２０を出し入れする側にのみ貼り付けられているため、載置面３２に載置されるファイル２０は、図２及び図３に示されるように、載置面３２の奥の側（ファイル２０を出し入れする側と反対の側）に向かって斜めとなる。この結果、ポリウレタンや接着素材が硬質であると、ファイル２０は２枚の表紙２２の一端の一部が点接触することになり、ファイル２０の滑り出しを防止するほどの接着力が期待できない。これに対して、ポリウレタンや接着素材が軟質であると、図２や図３に示す基材１２のように、背表紙２４の一端の辺の全体と２枚の表紙２２の一端の辺の一部とがファイル２０の重みで基材１２に沈み込んで線接触することになるので、ファイル２０の滑り出しを防止可能な接着力が発揮される。【００２５】  また、ファイル２０が載置面３２に載置されている状態で地震等による振動が発生し、ファイル２０が基材１２の表面に垂直な方向に揺れた場合には、基材１２の他方の面に接着されたファイル２０の一番接着力が強い位置、具体的には背表紙２４の一端の辺の全体、を支点として揺れ動く。この場合、例えば接地面が書棚であれば当該書棚の一段上の書棚の下面にファイル２０の背表紙２４の一端と対角線の位置となる角が当接することでファイル２０の転落が防止される。【００２６】  また、本願発明の転落防止具１０は、載置面３２に穴を開ける等の加工の必要がないだけではなく、載置面３２としての書棚、什器の棚を支える壁面等に予め何らかの加工を行う必要もなく、非常に簡便に使用することが可能であると共に書棚等を傷めることがない。さらには、基材１２に無色透明の素材を用いれば、載置面３２としての書棚等の外観を損ねることもない。【００２７】  ＜第２の実施例＞
次に図２を用いて、本発明の第２の実施例の転落防止具１０の構成を説明する。なお、第１の実施例と同一な構成には同じ符号を付して説明を適宜省略する。【００２８】  図２は、第２の実施例の転落防止具を表紙２２の側から見た側面図である。図２によると、第１の実施例と異なる構成は、基材１２の他方の面の載置面３２のファイル２０を出し入れする側の縁（所定の縁）に基材１２を保護する保護部１４を備えている構成である。【００２９】  第１の実施例で説明したとおり、基材１２は軟質の素材が使用されている。このため、硬質の紙等の素材で形成される表紙２２や背表紙２４の角が基材１２にぶつかると、基材１２（特にファイル２０を出し入れする側の縁）が壊されたり剥がれたりしてしまう虞がある。これを避けるために、この第２の実施例では、表紙２２や背表紙２４の角がぶつかり易い、基材１２のファイル２０を出し入れする側の縁に、硬質の紙やプラスチックまたは金属等の保護部１４を設けたものである。【００３０】  なお、図２においては、基材１２の縁を保護するために、縁全体を覆うように（基材１２の厚み方向と他方の面と平行な方向との両方を覆うように）Ｌ字型の保護部１４が設けられる構成となっている。なお、この保護部１４は、予め基材１２に貼り付けておいても良いし、また基材１２を載置面３２に接着してから貼り付けても良い。【００３１】  また、図２においては、保護部１４はＬ字型の形状を呈しているが、基材１２の他方の面と平行な方向の縁を覆う形状としても良い。また、このような基材１２の他方の面と平行な方向の縁を覆う形状の保護部１４は、予め基材１２に貼り付けておいても良いし、また基材１２を載置面３２に接着してから貼り付けても良い。【００３２】  この第２の実施例に係る保護部１４を設けた物品の転落防止具１０は、第１の実施例で説明した効果を有すると共に、上述のとおり基材１２のファイル２０を出し入れする側の縁が壊されたり剥がれたりしてしまう虞が少なくなる。またさらに、保護部１４はファイル２０を出し入れする側の縁に設けられているので、ファイル２０の出し入れの際に基材１２の着脱可能な接着力を有する他方の面に接触することが少なくなり、ファイル２０の出し入れがスムーズになるという効果も有する。【００３３】  ＜第３の実施例＞
次に図３を用いて、本発明の第３の実施例の転落防止具１０の構成を説明する。なお、第１の実施例及び第２の実施例と同一な構成には同じ符号を付して説明を適宜省略する。【００３４】  図３は、第３の実施例の転落防止具を表紙２２の側から見た側面図である。図３によると、第２の実施例と異なる構成は、保護部１４の形状がＬ字型や基材１２の他方の面と平行な方向の縁を覆う形状ではなく、基材１２の他方の面と平行な方向の縁から滑らかに延設して載置面３２まで到達する形状を呈している構成である。【００３５】  なお、この第３の実施例での保護部１４は、基材１２の他方の面と平行な方向の縁の部分を予め基材１２に貼り付けておき、基材１２の一方の面を載置面に接着してから延設する部分を載置面３２へ接着しても良いし、また基材１２を載置面３２に接着してから保護部１４全体を基材１２と載置面３２とに貼り付けても良い。【００３６】  このように、この第３の実施例に係る保護部１４を設けた物品の転落防止具１０は、第１の実施例及び第２の実施例で説明した効果を有すると共に、基材１２の他方の面と平行な方向の縁から滑らかに延設して載置面３２まで到達する保護部１４の形状により、ファイル２０の出し入れの際にファイル２０の角が基材１２の縁にぶつかっても滑らかに基材１２の他方の面の側に移動することができるので、ファイル２０の出し入れがスムーズになるという効果も有する。
【符号の説明】
【００３７】１０・・・転落防止具、  １２・・・基材、  １４・・・保護部、  ２０・・・ファイル、  ２２・・・表紙、  ２４・・・背表紙、  ３２・・・載置面
【図１】
2010253217.tif 000003
【図２】
2010253217.tif 000004
【図３】
2010253217.tif 000005